(57)【要約】【課題】  簡単な構造で蓋体がゆっくりと開く炊飯器を提供する。【解決手段】  本体２にヒンジピン５によって回動可能に取り付けた蓋体３と、蓋体３を開放する方向に付勢するばね１１と、ヒンジピン５に挿通されたダンパ６とを有する炊飯器１であって、ヒンジピン５は、断面が非円形の係合形状であり、ダンパ６は、ヒンジピン５の係合形状と一致する係合系形状を有する挿通穴１９を有し、挿通穴１９に挿通したヒンジピン５のダンパ６に対する回転を減衰するものであり、本体２または蓋体３の一方は、ヒンジピン５を固定する取付部１８を有し、他方は、ダンパ６のヒンジピン５周りの回動を規制する規制部９を有する炊飯器。【選択図】図２
2005211322.tif 000002
【特許請求の範囲】
【請求項１】
本体にヒンジピンによって回動可能に取り付けた蓋体と、該蓋体を開放する方向に付勢するばねと、前記ヒンジピンに挿通されたダンパとを有する炊飯器であって、
前記ヒンジピンは、断面が非円形の係合形状であり、
前記ダンパは、前記ヒンジピンの係合形状と一致する係合形状を有する挿通穴を有し、該挿通穴に挿通した前記ヒンジピンの該ダンパに対する回転を減衰するものであり、
前記本体または前記蓋体の一方は、前記ヒンジピンを固定する取付部を有し、
他方は、前記ダンパの前記ヒンジピン周りの回動を規制する規制部を有することを特徴とする炊飯器。
【請求項２】
前記ダンパは、前記ヒンジピンの中央に配置されていることを特徴とする請求項１に記載の炊飯器。
【請求項３】
前記ヒンジピンを固定していない前記本体または前記蓋体は、前記ヒンジピンを外面が円形のブシュを介して保持することを特徴とする請求項１または２に記載の炊飯器。
【請求項４】
前記ヒンジピンを固定していない前記本体または前記蓋体は、前記ヒンジピンを保持するＵ字型の軸受部と、前記軸受部の開放した方向への前記ヒンジピンの移動を規制する押さえ部材とを有することを特徴とする請求項１から３のいずれかに記載の炊飯器。
【請求項５】
前記ヒンジピンの係合形状は、方形であることを特徴とする請求項１から４のいずれかに記載の炊飯器。
【請求項６】
前記ヒンジピンの係合形状は、円弧と弦とからなるＤの字型であることを特徴とする請求項１から４のいずれかに記載の炊飯器。
【請求項７】
前記押さえ部材は、前記ヒンジピンと接する金属製の部材であり、前記係合形状の円弧と常に接していることを特徴とする請求項６に記載の炊飯器。
【請求項８】
前記取付部は、金属製の補強板であることを特徴とする請求項１から７のいずれかに記載の炊飯器。
【請求項９】
前記ダンパは、該ダンパの動きを規制するための座面を有し、
前記規制部は、前記座面と当接する平面を有することを特徴とする請求項１から８のいずれかに記載の炊飯器。
【請求項１０】
前記ヒンジピンを固定していない前記本体または前記蓋体は、前記ダンパの前記ヒンジピンの回転軸方向への動きを規制するガイドを有することを特徴とする請求項１から９のいずれかに記載の炊飯器
【請求項１１】
前記ヒンジピンを固定していない前記本体または前記蓋体は、前記規制部とともに前記ダンパの一部を挟み込む回り止めを有することを特徴とする請求項１から１０のいずれかに記載の炊飯器。
【請求項１２】
前記ヒンジピンは、前記蓋体に固定され、前記規制部は、前記本体に設けられていることを特徴とする請求項１から１１のいずれかに記載の炊飯器。
【発明の詳細な説明】
【技術分野】
【０００１】
本発明は、炊飯器に関し、特に、蓋体の回動を減衰するダンパを有する炊飯器に関する。
【背景技術】
【０００２】
炊飯器の蓋体は、開放する方向にばねで付勢されることが多い。しかし、ばねの付勢力が強すぎると、蓋体が急激に開き、蓋体の回動を停止させる部分が破損することがある。また、蓋体が急激に回動すると、人やものにぶつかることがあるなど、ユーザが取り扱いにくく高級感がない。このため、ばね付勢された蓋体の回動を減衰させ、蓋体がゆっくりと開く炊飯器が求められている。
【０００３】
特許文献１には、蓋体開放したときに蓋体を受け止めるばねを設けた構造が開示されているが、蓋体を開放させるばねと蓋体を受け止めるばねとのバランスが崩れると、蓋体が途中で止まってしまうという問題があった。また、特許文献２には、ヒンジピンに歯車を設けて、ダンパ歯車を噛み合わせることで、ヒンジピンを固定した蓋体の回動を減衰させる構造が開示されているが、歯車を採用するので構造が複雑になり炊飯器が高価になるという問題があった。
【特許文献１】実開昭６０−１０６５２６号公報
【特許文献２】特公平７−２２５４２号公報
【発明の開示】
【発明が解決しようとする課題】
【０００４】
そこで、本発明は、簡単な構造で蓋体がゆっくりと開く炊飯器を提供することを課題とする。
【課題を解決するための手段】
【０００５】
本発明によれば、本体にヒンジピンによって回動可能に取り付けた蓋体と、該蓋体を開放する方向に付勢するばねと、前記ヒンジピンに挿通されたダンパとを有する炊飯器であって、前記ヒンジピンは、断面が非円形の係合形状であり、前記ダンパは、前記ヒンジピンの係合形状と一致する係合系形状を有する挿通穴を有し、該挿通穴に挿通した前記ヒンジピンの該ダンパに対する回転を減衰するものであり、前記本体または前記蓋体の一方は、前記ヒンジピンを固定する取付部を有し、他方は、前記ダンパの前記ヒンジピン周りの回動を規制する規制部を有するものとする。
【０００６】
この構成によれば、ヒンジピンの断面を非円形にしたことで、該ヒンジピンを本体または蓋体の一方の取付部および前記ダンパの挿通穴に係合させて固定することができる。また、前記ヒンジピンを固定していない本体または蓋体は、前記規制部によって前記ダンパの前記ヒンジピン周りの角度を定める。これによって、前記ヒンジピンまたは前記ダンパの一方が前記ばねによって前記蓋体とともに回転させられるが、他方が本体２に固定または規制されて回転しないためにダンパの作用によりその回転力が減衰されるので、前記蓋体はゆっくりと回動する。
【０００７】
また、本発明の炊飯器において、前記ダンパは、前記ヒンジピンの中央に配置されていてもよい。
【０００８】
この構成によれば、本体および蓋体は、１本のヒンジピンをそれぞれ２箇所以上で支持する必要があるが、その支持部の間にダンパを配置することで、前記ダンパを空間効率よく収納できるので、炊飯器が大型化しない。
【０００９】
また、本発明の炊飯器において、前記ヒンジピンを固定していない前記本体または前記蓋体は、前記ヒンジピンを外面が円形のブシュを介して保持するものとしてもよい。
【００１０】
この構成によれば、ヒンジピンが円形断面を有していなくても、本体または蓋体に対して無理なく回転できるように保持される。このため、前記ヒンジピンに過度の摩擦が働いて蓋体が開放途中で遅くなったり停止したりしないで滑らかに回動する。また、摩擦が少ないのでヒンジピンおよび本体または蓋体が磨耗しにくい。
【００１１】
また、本発明の炊飯器において、前記ヒンジピンを固定していない前記本体または前記蓋体は、前記ヒンジピンを保持するＵ字型の軸受部と、前記軸受部の開放した方向への前記ヒンジピンの移動を規制する押さえ部材とを有するものとしてもよい。
【００１２】
この構成によれば、ヒンジピンを前記軸受部に軸方向と垂直な方向から嵌め込むことで取り付けられる。これによって炊飯器の組立てが容易である。
【００１３】
また、本発明の炊飯器において、前記ヒンジピンの係合形状は、方形であってもよい。
【００１４】
この構成によれば、ヒンジピンは、簡単な形状であるので安価である。
【００１５】
また、本発明の炊飯器において、前記ヒンジピンの係合形状は、円弧と弦とからなるＤの字型であってもよい。
【００１６】
この構成によっても、ヒンジピンは、簡単な形状であるので安価である。
【００１７】
また、本発明の炊飯器において、前記押さえ部材は、前記ヒンジピンと接する金属製の部材であり、前記係合形状の円弧と常に接しているものとしてもよい。
【００１８】
この構成によれば、ヒンジピンはばねによって特定の方向に強く押し付けられるが、前記ヒンジピンが強く押し付けられる方向に金属製の押さえ部材を配置することでヒンジピンを確実に保持できる。さらに、前記押さえ部材を前記ヒンジピンの係合形状の円弧と接するようにすることでヒンジピンは滑らかに回転でき、前記ヒンジピンおよび前記押さえ部材は磨耗しにくい。
【００１９】
また、本発明の炊飯器において、前記取付部は、金属製の補強板であってもよい。
【００２０】
この構成によれば、蓋体を開閉させる際の回動トルクを金属製の補強板と前記ヒンジピンとの間で授受するため、前記取付部が破損または磨耗することがない。
【００２１】
また、本発明の炊飯器において、前記ダンパは、該ダンパの動きを規制するための座面を有し、前記規制部は、前記座面と当接する平面を有するものとしてもよい。
【００２２】
この構成によれば、前記座面と前記規制部との間に隙間を持たせることで、ダンパの位置に自由度ができ、本体および蓋体の加工精度が高くなくても、ダンパの回転軸とヒンジピンの回転軸とを一致させることができる。
【００２３】
また、本発明の炊飯器において、前記ヒンジピンを固定していない前記本体または前記蓋体は、前記ダンパの前記ヒンジピンの回転軸方向への動きを規制するガイドを有してもよい。
【００２４】
この構成によれば、ダンパがヒンジピンの回転軸方向に移動することがなく、蓋体の滑らかな回動が阻害されることがない。
【００２５】
また、本発明の炊飯器において、前記ヒンジピンを固定していない前記本体または前記蓋体は、前記規制部とともに前記ダンパの一部を挟み込む回り止めを有してもよい。
【００２６】
この構成によれば、ダンパの一部を保持するだけでダンパの回転を規制することができる。
【００２７】
また、本発明の炊飯器において、前記ヒンジピンは、前記蓋体に固定され、前記規制部は、前記本体に設けられているものとしてもよい。
【００２８】
この構成によれば、蓋体にヒンジピンを固定する取付部を設け、本体にヒンジピンを支持する軸受部およびダンパの回転を規制する規制部の２つの構成要素を設けることになる。構造上、空間や強度を得やすい本体に多くの構成要素を配置することで、設計や組立てが容易になる。
【発明の効果】
【００２９】
以上のように、本発明によれば、簡単な構造でダンパの作用により蓋体がゆっくりと開く高級感のある炊飯器を安価に提供できる。
【発明を実施するための最良の形態】
【００３０】
図１は、本発明の第１実施形態の炊飯器１を示す。炊飯器１は、有底筒状の本体２と、本体２の上部の開口を閉塞する蓋体３と、本体２の内部に収納された鍋４とからなり、蓋体３は、本体２にヒンジピン５で回動可能に取り付けられている。さらに、炊飯器１は、ダンパ６を有し、ヒンジピン５は、ダンパ６に挿通されている。そして、ヒンジピン５によって蓋体３を取り付けている部分を覆うカバー７が取り付けられている。
【００３１】
図２は、炊飯器１の本体２に蓋体３を取り付けている部分を示す。ダンパ６は、裏面が平らな座面になっている座板８を有しており、本体２の鉛直な平面を有する壁部９から突出した一対の鉛直方向に長いガイド１０の間に座板８が挟まれ、座面が壁部９に当接するように、ヒンジピン５に挿通されて支持されている。ヒンジピン５は、ダンパ６の両側でそれぞればね１１に挿通している。ばね１１の両端はヒンジピン５の軸と垂直な方向に伸び、一端は蓋体２に係止され、他端は、押さえ金具１２に係止されることで、蓋体２をヒンジピン５を中心に回動させて開放させるように付勢している。押さえ金具１２は、本体２にネジ１３で固定され、２つのばね１１のさらに外側に伸びる１対の腕部１４を有している。さらにヒンジピン５には円筒形のブシュ１５が挿入され、ヒンジピン５に直交する本体２の側板部１６に設けたＵ字型の軸受部１７がブシュ１５を介してヒンジピン５を支持している。そして、ヒンジピン５が軸受部１７から外れないように押さえ金具１２の腕部１４が押さえ込むようになっている。ヒンジピン５は、両側のブシュ１５のさらに外側に金属製の補強板１８が対向して取り付けられており、この補強板１８に蓋体２が取り付けられる。
【００３２】
図３に前記の構造を分解した様子を、また、図４に押さえ金具１２の腕部１４の中心での断面（ａ）および本体２の側板１６の中心での断面（ｂ）を示し、その形状を詳しく説明する。ヒンジピン５は、丸棒の一部を軸方向に沿って平面的に削り落とした形状であり、断面が円弧５ａと弦５ｂからなるＤの字型の全長に渡って同じ係合形状を有する金属棒である。ダンパ６は、ヒンジピン５を挿通する挿通穴１９を有し、挿通穴１９は、ヒンジピン５の係合形状と等しい係合形状を有している。補強板１８にヒンジピン５を挿入して係合させる係合穴２０も、同じＤ型の係合形状をしている。また、押さえ金具１２の腕部１４は、図４において右下が開放した、ヒンジピン５の係合形状の円弧５ａに接する円弧を有するフックになっている。円筒形のブシュ１５は、押さえ金具１２の腕部１４と補強板１８とに挟まれており、本体２の側板部１６の軸受部１７に真上から嵌め込まれるようになっている。
【００３３】
次に、前記構成からなる炊飯器１の蓋体３開閉時の作用について説明する。炊飯器１の図示しない開放ボタンを押すと、蓋体３がばね１１によりヒンジピン５を中心にして開放してゆく。ヒンジピン５の係合形状は、直線の弦５ｂの部分で、係合しているダンパ６および補強板１８と相互に回転トルクを伝達しあうことができる。補強板１８は、ヒンジピン５を回転させ、ヒンジピン５の回転はダンパ６の挿通穴１９を回転させる。この挿通穴１９の回転は、本体２の壁部９に座板８が当接することで回転を規制されているダンパ６によって減衰されてゆっくりとした回転運動となる。これによって、補強板１８に取付けられている蓋体２も、ゆっくりと回動することになる。
【００３４】
ヒンジピン５は、図４に示すように、蓋体２を閉塞した状態では、係止形状の弦５ｂが下を向いており、蓋体２が開放されたときには、２点鎖線で示すように約９０度回転して係止形状の弦５ｂがほぼ垂直になる。蓋体２を開放するときには、反動により、ヒンジピン５をＡ方向に押し上げる力が強く働く。この力の方向では、常に、押さえ金具１２の腕部１４の円弧の部分がヒンジピン５の円弧５ａを受け止めている。ヒンジピン５は、押さえ金具１２の腕部１４に対して、円弧５ａと弦５ｂとがつくる角がＡ方向に当接することがないので滑らかに回転することができる。そして、強度を有する押さえ金具１２がヒンジピン５の円弧５ａに広く当接しているため、押さえ金具１２およびヒンジピン５は磨耗しにくい。また、本体２の軸受部１７は、ヒンジピン５を円弧５ａと弦５ｂとの角がある方向から受け止めるが、円筒形のブシュ１５を介して接しており、直接にヒンジピン５の角が当接しないので磨耗しにくい。
【００３５】
蓋体２の回動のトルクは、ヒンジピン５と補強板１８の係合穴２０との間で前記係合形状の弦５ｂの部分により伝達されるため、この小さな係合穴２０に集中して大きな力が加わる。一般に樹脂製である蓋体２に直接ヒンジピン５と係合せずに、金属製の補強板１８の係合穴２０でヒンジピン５と係合し、さらに、補強板１８に蓋体３を、蓋体２の一部に力が集中しないように取り付けることで、蓋体２の破損および磨耗を防止できる。逆に、ヒンジピン５も補強板１８の係合穴２０から大きな力を受けるが、ヒンジピン５は、簡単な形状であるので、ＳＵＳ４３０のような特に硬い金属で製作することも可能である。また、補強板１８も、ヒンジピン５と同じ硬い金属で製作して、ヒンジピン５と補強板１８とがともに磨耗しないようにすることができる。
【００３６】
ダンパ６は、座板８が本体２に設けられた壁部９に固定されることなく、壁部９から座板８の座面がわずかに隙間を有して当接することによって回転が規制されている。これは、もし、ダンパ６を壁部９に固定してしまうと、本体２は、２箇所の軸受部１７でブシュ１５を介して、さらに壁部９でダンパ６を介して、合計３箇所で１つのヒンジピン５を保持することになる。この場合、この３箇所が厳密に同じ回転軸上に位置する必要があり、本体２には厳密な加工精度が要求されることになる。しかし、本実施形態のように、ダンパ６の位置に自由度を持たせたので、本体は、通常の加工精度で製作することができる。このように回転を規制されたダンパ６は、軸に垂直な方向に力を受けずに回転方向の力のみを受け止めて、挿通穴１９に挿通されたヒンジピン５の回転を減衰させるようにだけ働くことができる。また、壁部９に設けた一対のガイド１０の間にダンパ６の座板８を配置することで、ダンパ６は、ヒンジピン５に沿って横滑りしてばね１１に接触し、ばね１１の働きを阻害することがない。
【００３７】
以上のように、本実施形態の炊飯器１は、ばね１１で付勢して、ダンパ６によって緩やかに蓋体２を開放させることができ、破損の危険がなく、動作に高級感がある。また、本実施形体の構造は、簡単であるために安価で、場所を取らないので炊飯器１は大型化しない。
【００３８】
次に、図５および図６に本発明の第２実施形態である炊飯器１の本体２に蓋体３を取り付けている部分を示す。第１実施形態と同じ構成要素には、同じ符号を付して説明を省略する。本実施形態の炊飯器１のヒンジピン５は、断面が正方形の係合形状を有する角棒である。したがって、ダンパ６の挿通穴１９および補強板１８の係合穴２０も同様に正方形の係合形状を有している。また、ダンパ６は、座板８の上端を、本体２の壁部９にねじ２１で固定した回り止め２２で隙間を持たせて挟み込んでいる。ブシュ１５はダンパ６と補強板１８とに両端が接する長い円筒であり、押さえ金具１２の腕部１４は、直接ヒンジピン５と接触しないでこのブシュ１５を介して、本体２の軸受部１７とともにヒンジピン５を保持している。
【００３９】
この構成によると、ヒンジピン５を正方形断面の角棒としたことで、ヒンジピン５は、ダンパ６の挿通穴１９および補強板１８の係合穴２０と係合し、正方形の４面に分散して回転トルクを伝達する。このため、補強板１８の係合穴２０はより大きな回転トルクを授受することができ、破損および磨耗しにくい。また、ヒンジピン５は簡単な形状なので安価である。この場合、押さえ金具１２の腕部１４がヒンジピン５の角に接しないように、ブシュ１５を長いものとして、このブシュ１５を介してヒンジピン５を側板部１６の軸受部１７に保持する構造とする必要がある。また、ダンパ６の座板８を本体２の壁部９との間に挟みこむ回り止め２２を設けたので、本体２の壁部９にガイドを設けなくてもダンパ６の横滑りを防止できる。さらに、壁部９が座板８の反対側の端部に達する広い壁でなくても、壁部９と回り止め２２とで座板８の一端を挟み込んでダンパ６の回転を両方向に規制することができる。
【図面の簡単な説明】
【００４０】
【図１】本発明の１実施形態である炊飯器の側面図。
【図２】図１の炊飯器の部分斜視図。
【図３】図１の炊飯器の部分分解斜視図。
【図４】図１の炊飯器の部分断面図。
【図５】本発明の第２実施形態である炊飯器の部分斜視図。
【図６】図５の炊飯器の部分分解斜視図。
【符号の説明】
【００４１】
１  炊飯器
２  本体
３  蓋体
５  ヒンジピン
５ａ  円弧
５ｂ  弦
６  ダンパ
８  座板
９  壁部（規制部）
１０  ガイド
１１  ばね
１２  押さえ金具
１５  ブシュ
１７  軸受部
１８  補強板
１９  挿通穴
２２  回り止め
【図１】
2005211322.tif 000003
【図２】
2005211322.tif 000004
【図３】
2005211322.tif 000005
【図４】
2005211322.tif 000006
【図５】
2005211322.tif 000007
【図６】
2005211322.tif 000008